【手続補正書】
【提出日】平成19年10月4日(2007.10.4)
【手続補正１】
【補正対象書類名】明細書
【補正対象項目名】発明の名称
【補正方法】変更
【補正の内容】
【発明の名称】画像処理方法、画像形成方法及びそれらの装置、コンピュータ可読メモリ
【手続補正２】
【補正対象書類名】明細書
【補正対象項目名】特許請求の範囲
【補正方法】変更
【補正の内容】
【特許請求の範囲】
【請求項１】  ＲＧＢ多値画像信号を画像形成に使用する色材に対応した色信号に変換する画像処理方法であって、
最大濃度値のＲＧＢ多値画像信号を色信号に変換し前記色材を用いて被記録媒体上に形成した第１画像を測色して得られる第１色度と、前記最大濃度値より一段階低い濃度値の前記ＲＧＢ多値画像信号を色信号に変換し前記色材を用いて被記録媒体上に形成した第２画像を測色して得られる第２色度とに基づいて構成される色変換テーブルを保持する保持工程と、
前記色変換テーブルを参照して、前記ＲＧＢ多値画像信号を前記色信号に変換する変換工程と
を備えることを特徴とする画像処理方法。
【請求項２】  ＲＧＢ多値画像信号を画像形成に使用する色材に対応した色信号に変換する画像処理方法であって、
最大濃度値のＲＧＢ多値画像信号を色信号に変換し前記色材を用いて被記録媒体上に形成した第１画像を測色して得られる第１色度と、前記最大濃度値より一段階低い濃度値の前記ＲＧＢ多値画像信号を前記色信号に変換し前記色材を用いて被記録媒体上に形成した第２画像を測色して得られる第２色度との色差が所定値以上となるように、前記ＲＧＢ多値画像信号を前記色信号に変換する変換工程と、
前記変換工程で変換された色信号を出力する出力工程と
を備えることを特徴とする画像処理方法。
【請求項３】  前記色差は、以下の式によって算出される色差△Ｆであり、
2002118761.tif 000001
前記所定値は、前記色差△Ｆ＝２である
ことを特徴とする請求項２に記載の画像処理方法。
【請求項４】  前記第１色度及び第２色度は、ＣＩＥ１９７６（Ｌ*ａ*ｂ*）色空間におけるａ*、ｂ*座標で表される
ことを特徴とする請求項２または請求項３に記載の画像処理方法。
【請求項５】  前記色差は、更に、８以下である
ことを特徴とする請求項２乃至請求項４のいずれか１項に記載の画像処理方法。
【請求項６】  ＲＧＢ多値画像信号を画像形成に使用する色材に対応した色信号に変換し、該変換した色信号に基づいて画像を被記録媒体に形成する画像形成方法であって、
最大濃度値のＲＧＢ多値画像信号を色信号に変換し前記色材を用いて被記録媒体上に形成した第１画像を測色して得られる第１色度と、前記最大濃度値より一段階低い濃度値の前記ＲＧＢ多値画像信号を前記色信号に変換し前記色材を用いて被記録媒体上に形成した第２画像を測色して得られる第２色度との色差が所定値以上となるように、前記ＲＧＢ多値画像信号を前記色信号に変換する変換工程と、
前記変換工程で変換された色信号に基づいて、前記被記録媒体に画像を形成する画像形成工程と
を備えることを特徴とする画像形成方法。
【請求項７】  ＲＧＢ多値画像信号を画像形成に使用する色材に対応した色信号に変換する画像処理方法であって、
写真を主とする画像の最大濃度値のＲＧＢ多値画像信号を色信号に変換し前記色材を用いて被記録媒体上に形成した第１画像を測色して得られる第１色度と、黒文字を主とする画像の最大濃度値のＲＧＢ多値画像信号を色信号に変換し前記色材を用いて被記録媒体上に形成した第２画像を測色して得られる第２色度との色差とに基づいて構成される色変換テーブルを保持する保持工程と、
前記色変換テーブルを参照して、前記ＲＧＢ多値画像信号を前記色信号に変換する変換工程と
を備えることを特徴とする画像処理方法。
【請求項８】  ＲＧＢ多値画像信号を画像形成に使用する色材に対応した色信号に変換する画像処理方法であって、
写真を主とする画像の最大濃度値のＲＧＢ多値画像信号を色信号に変換し前記色材を用いて被記録媒体上に形成した第１画像を測色して得られる第１色度と、黒文字を主とする画像の最大濃度値のＲＧＢ多値画像信号を色信号に変換し前記色材を用いて被記録媒体上に形成した第２画像を測色して得られる第２色度との色差が所定値以上となるように、前記ＲＧＢ多値画像信号を前記色信号に変換する変換工程と、
前記変換工程で変換された色信号を出力する出力工程と
を備えることを特徴とする画像処理方法。
【請求項９】  前記色差は、以下の式によって算出される色差△Ｆであり、
2002118761.tif 000002
前記所定値は、前記色差△Ｆ＝２である
ことを特徴とする請求項７に記載の画像処理方法。
【請求項１０】  前記第１色度及び第２色度は、ＣＩＥ１９７６（Ｌ*ａ*ｂ*）色空間におけるａ*、ｂ*座標で表される
ことを特徴とする請求項８または請求項９に記載の画像処理方法。
【請求項１１】  前記色差は、更に、８以下である
ことを特徴とする請求項８乃至請求項１０のいずれか１項に記載の画像処理方法。
【請求項１２】  ＲＧＢ多値画像信号を画像形成に使用する色材に対応した色信号に変換し、該変換した色信号に基づいて画像を形成する画像形成方法であって、
写真を主とする画像の最大濃度値のＲＧＢ多値画像信号を色信号に変換し前記色材を用いて被記録媒体上に形成した第１画像を測色して得られる第１色度と、黒文字を主とする画像の最大濃度値のＲＧＢ多値画像信号を色信号に変換し前記色材を用いて被記録媒体上に形成した第２画像を測色して得られる第２色度との色差が所定値以上となるように、前記ＲＧＢ多値画像信号を前記色信号に変換する変換工程と、
前記変換工程で変換された色信号に基づいて、前記被記録媒体に画像を形成する画像形成工程と
を備えることを特徴とする画像形成方法。
【請求項１３】  ＲＧＢ多値画像信号を画像形成に使用する色材に対応した色信号に変換する画像処理装置であって、
最大濃度値のＲＧＢ多値画像信号を色信号に変換し前記色材を用いて被記録媒体上に形成した第１画像を測色して得られる第１色度と、前記最大濃度値より一段階低い濃度値の前記ＲＧＢ多値画像信号を色信号に変換し前記色材を用いて被記録媒体上に形成した第２画像を測色して得られる第２色度とに基づいて構成される色変換テーブルと、
前記色変換テーブルを参照して、前記ＲＧＢ多値画像信号を前記色信号に変換する変換手段と
を備えることを特徴とする画像処理装置。
【請求項１４】  ＲＧＢ多値画像信号を画像形成に使用する色材に対応した色信号に変換する画像処理装置であって、
最大濃度値のＲＧＢ多値画像信号を色信号に変換し前記色材を用いて被記録媒体上に形成した第１画像を測色して得られる第１色度と、前記最大濃度値より一段階低い濃度値の前記ＲＧＢ多値画像信号を前記色信号に変換し前記色材を用いて被記録媒体上に形成した第２画像を測色して得られる第２色度との色差が所定値以上となるように、前記ＲＧＢ多値画像信号を前記色信号に変換する変換手段と、
前記変換手段で変換された色信号を出力する出力手段と
を備えることを特徴とする画像処理装置。
【請求項１５】  ＲＧＢ多値画像信号を画像形成に使用する色材に対応した色信号に変換し、該変換した色信号に基づいて画像を被記録媒体に形成する画像形成装置であって、
最大濃度値のＲＧＢ多値画像信号を色信号に変換し前記色材を用いて被記録媒体上に形成した第１画像を測色して得られる第１色度と、前記最大濃度値より一段階低い濃度値の前記ＲＧＢ多値画像信号を前記色信号に変換し前記色材を用いて被記録媒体上に形成した第２画像を測色して得られる第２色度との色差が所定値以上となるように、前記ＲＧＢ多値画像信号を前記色信号に変換する変換手段と、
前記変換手段で変換された色信号に基づいて、前記被記録媒体に画像を形成する画像形成手段と
を備えることを特徴とする画像形成装置。
【請求項１６】  前記画像形成手段は、インクを吐出して記録を行うインクジェット記録ヘッドを用いて画像形成を行う
ことを特徴とする請求項１５に記載の画像形成装置。
【請求項１７】  前記インクジェット記録ヘッドは、熱エネルギーを利用してインクを吐出する記録ヘッドであって、インクに与える熱エネルギーを発生するための熱エネルギー変換体を備えている
ことを特徴とする請求項１６に記載の画像形成装置。
【請求項１８】  ＲＧＢ多値画像信号を画像形成に使用する色材に対応した色信号に変換する画像処理装置であって、
写真を主とする画像の最大濃度値のＲＧＢ多値画像信号を色信号に変換し前記色材を用いて被記録媒体上に形成した第１画像を測色して得られる第１色度と、黒文字を主とする画像の最大濃度値のＲＧＢ多値画像信号を色信号に変換し前記色材を用いて被記録媒体上に形成した第２画像を測色して得られる第２色度との色差とに基づいて構成される色変換テーブルと、
前記色変換テーブルを参照して、前記ＲＧＢ多値画像信号を前記色信号に変換する変換手段と
を備えることを特徴とする画像処理装置。
【請求項１９】  ＲＧＢ多値画像信号を画像形成に使用する色材に対応した色信号に変換する画像処理装置であって、
写真を主とする画像の最大濃度値のＲＧＢ多値画像信号を色信号に変換し前記色材を用いて被記録媒体上に形成した第１画像を測色して得られる第１色度と、黒文字を主とする画像の最大濃度値のＲＧＢ多値画像信号を色信号に変換し前記色材を用いて被記録媒体上に形成した第２画像を測色して得られる第２色度との色差が所定値以上となるように、前記ＲＧＢ多値画像信号を前記色信号に変換する変換手段と、
前記変換手段で変換された色信号を出力する出力手段と
を備えることを特徴とする画像処理装置。
【請求項２０】  ＲＧＢ多値画像信号を画像形成に使用する色材に対応した色信号に変換し、該変換した色信号に基づいて画像を形成する画像形成装置であって、
写真を主とする画像の最大濃度値のＲＧＢ多値画像信号を色信号に変換し前記色材を用いて被記録媒体上に形成した第１画像を測色して得られる第１色度と、黒文字を主とする画像の最大濃度値のＲＧＢ多値画像信号を色信号に変換し前記色材を用いて被記録媒体上に形成した第２画像を測色して得られる第２色度との色差が所定値以上となるように、前記ＲＧＢ多値画像信号を前記色信号に変換する変換手段と、
前記変換手段で変換された色信号に基づいて、前記被記録媒体に画像を形成する画像形成手段と
を備えることを特徴とする画像形成装置。
【請求項２１】  前記画像形成手段は、インクを吐出して記録を行うインクジェット記録ヘッドを用いて画像形成を行う
ことを特徴とする請求項２０に記載の画像形成装置。
【請求項２２】  前記インクジェット記録ヘッドは、熱エネルギーを利用してインクを吐出する記録ヘッドであって、インクに与える熱エネルギーを発生するための熱エネルギー変換体を備えている
ことを特徴とする請求項２１に記載の画像形成装置。
【請求項２３】  請求項１または請求項２に記載の画像処理方法をコンピュータに実行させるためのプログラムを格納したコンピュータ可読メモリ。
【請求項２４】  請求項７または請求項８に記載の画像処理方法をコンピュータに実行させるためのプログラムを格納したコンピュータ可読メモリ。
【手続補正３】
【補正対象書類名】明細書
【補正対象項目名】０００１
【補正方法】変更
【補正の内容】
【０００１】
【発明の属する技術分野】
本発明は、ＲＧＢ多値画像信号を画像形成に使用する色材に対応した色信号に変換する画像処理方法、画像形成方法及びそれらの装置、コンピュータ可読メモリに関するものである。
【手続補正４】
【補正対象書類名】明細書
【補正対象項目名】０００７
【補正方法】変更
【補正の内容】
【０００７】
本発明は上記課題を解決するためになされたものであり、写真画像においても黒文字画像においても好ましい黒色を再現することができる画像処理方法、画像形成装置及びそれらの方法、コンピュータ可読メモリを提供することを目的とする。
【手続補正５】
【補正対象書類名】明細書
【補正対象項目名】００７９
【補正方法】変更
【補正の内容】
【００７９】
【発明の効果】
以上説明したように、本発明によれば、写真画像においても黒文字画像においても好ましい黒色を再現することができる画像処理方法、画像形成装置及びそれらの方法、コンピュータ可読メモリを提供できる。